(57)【特許請求の範囲】
【請求項１】
第１シートと、第２シートとを備え、
前記第１シートは、前記第２シートと反対側に突出してその裏側に凹部を形成した収容部と、前記収容部の周囲に広がる額部とを有し、
前記第２シートは前記額部と接着または溶着され、
前記第２シートには第１のミシン目と第２のミシン目とが設けられ、前記第１のミシン目の伸びる方向と前記第２のミシン目の伸びる方向とは互いに異なり、
前記第１のミシン目は、前記第１のミシン目に沿って前記第２シートを引き裂くことにより、前記収容部が開放されるように設けられ、前記第１のミシン目には、波型の切込が複数含まれ、前記波型の切込は不連続に設けられており、
前記第２のミシン目は、前記第２のミシン目に沿って前記第２シートを引き裂くことにより、前記第１のミシン目に沿って前記第２シートを引き裂くための第１つまみ部が形成されると共に、前記第１つまみ部が、前記第２のミシン目に沿って前記第２シートを引き裂くことにより現れる前記第２シートの縁から突出するように設けられている、ブリスターパッケージ。
【請求項２】
前記第２のミシン目には、Ｙ型の切込が複数含まれ、前記Ｙ型の切込は不連続に設けられている、請求項１に記載のブリスターパッケージ。
【請求項３】
前記第２シートには前記第２のミシン目から独立した第３のミシン目がさらに設けられ、前記第２のミシン目と前記第３のミシン目とによって挟まれた帯部が前記第２シートに形成されている、請求項１又は請求項２に記載のブリスターパッケージ。
【請求項４】
前記帯部の第１端部において前記第２のミシン目および前記第３のミシン目の少なくも一方の延長上にノッチが設けられ、前記帯部の前記第１端部が前記第２のミシン目および前記第３のミシン目に沿って前記第２シートを引き裂くための第２つまみ部となっている、請求項３記載のブリスターパッケージ。
【請求項５】
前記帯部は、前記第１端部とは反対側の第２端部において前記第１シートに接着または溶着されている、請求項３又は請求項４に記載のブリスターパッケージ。
【請求項６】
前記第３のミシン目には、Ｙ型の切込が複数含まれ、前記Ｙ型の切込は不連続に設けられている、請求項３乃至請求項５の何れか１つに記載のブリスターパッケージ。
【請求項７】
前記第２シートには、前記第１ミシン目から独立した第４のミシン目がさらに設けられ、前記第１のミシン目と前記第４のミシン目とに挟まれた部分が前記収容部を覆っている、請求項１乃至請求項６の何れか１つに記載のブリスターパッケージ。
【請求項８】
前記第４のミシン目には、波型の切込が複数含まれ、前記波型の切込は不連続に設けられている、請求項７記載のブリスターパッケージ。
【請求項９】
前記第２シートの前記第１のミシン目を設けた部分は、前記収容部に収容物が内包された状態で前記第２シートと反対側から前記収容部を押圧する押圧力に耐える強度を有する、請求項１乃至請求項８の何れか１つに記載のブリスターパッケージ。
【請求項１０】
前記第２シートの前記第１のミシン目を設けた部分は、４０Ｎ以下の前記押圧力に耐える強度を有する、請求項９記載のブリスターパッケージ。
【請求項１１】
前記第１シートと前記第２シートとが生分解性材料で構成されている、請求項１乃至請求項１０の何れか１つに記載のブリスターパッケージ。
【請求項１２】
前記生分解性材料はポリ乳酸系重合体である、請求項１１記載のブリスターパッケージ。
【発明の詳細な説明】
【技術分野】
【０００１】
本発明は、ボタン型電池やコイン型電池、あるいは錠剤等の医薬品などを包装するブリスターパッケージの開放構造に関する。
【背景技術】
【０００２】
ボタン型電池やコイン型電池は１個の大きさが小さいため、包装材に封入して流通させるのが一般的である。このような従来の包装材を、図８および図９を用いて説明する。図８は従来の包装材の分解斜視図、図９は従来の包装材の背面図である。
【０００３】
図８に示すように、従来の包装材は、第１シート５１と第２シート５２とから構成されている。第１シート５１には、コイン型電池などの収容物５０を収容する収容部５３が設けられている。第１シート５１と第２シート５２とは、収容部５３を除く部分の全てまたは一部分で接着あるいは溶着される。第２シート５２の、収容部５３に対応する位置には、ミシン目５４で囲まれた蓋部５５が設けられている。
【０００４】
ユーザは、収容部５３に収容物５０が内包された状態で第２シート５２と反対側から収容部５３を押圧することにより、図９に示すように第２シート５２がミシン目５４に沿って破断する。このようにして、ユーザは収容物５０を取り出すことができる。あるいは、第２シート５２の、収容部５３に対応する位置に十字型のミシン目を設けることにより、ユーザは、同様の方法によって収容物５０を取り出すことができる（例えば、特許文献１）。
【先行技術文献】
【特許文献】
【０００５】
【特許文献１】特開２００１−２７０５５７号公報
【発明の概要】
【発明が解決しようとする課題】
【０００６】
収容部５３に収容物５０が内包された状態で、ユーザが第２シート５２と反対側から収容部５３を押圧することにより、容易に収容物５０を取り出すことができるようにするためには、ミシン目５４の破断強度を小さくする必要がある。しかしながら、あまり弱くすると、例えば積み重ねて運搬する際に、上に積まれた物品からの荷重によってミシン目５４に沿って第２シート５２が裂け、収容物５０が包装材から出てしまう可能性がある。あるいは幼児などが誤って収容部５３を押圧して収容物５０を取り出してしまうことがある。逆に、幼児などが誤って収容部５３を押圧して収容物５０を取り出してしまうことを防止するために、ミシン目５４の破断強度を大きくしすぎると、第２シート５２と反対側から収容部５３を押圧して収容物５０を取り出す際に必要な押圧力が大きくなると共に、収容物５０にも過大な押圧力が付加されて、収容物５０に変形や破壊といった不具合が生じるおそれがある。このように従来の包装材にはミシン目５４の破断強度に相反する条件がある。
【０００７】
現状では、収容部５３に収容物５０を入れた状態で、収容部５３を２０Ｎ程度の力で押圧することでミシン目５４に沿って第２シート５２が裂けるように設定されている。例えば、第２シート５２の大きさが４０ｍｍ×９０ｍｍ、厚さが１００μｍ、蓋部５５の直径が２１ｍｍのポリエチレンテレフタレートのとき、ミシン目５４では、蓋部５５の円弧部分で４５°毎に１ｍｍの間隔をおいて切込が設けられる。しかしながら、ミシン目５４の強度は、上述のような観点からは充分ではない。
【０００８】
本発明は、このような課題を解決し、容易に収容物を取り出せるとともに、収容部を押圧しても容易に収容物が出ないブリスターパッケージを提供することを目的とする。
【課題を解決するための手段】
【０００９】
本発明に係るブリスターパッケージは、第１シートと、第２シートとを備えている。第１シートは、第２シートと反対側に突出してその裏側に凹部を形成した収容部と、この収容部の周囲に広がる額部とを有する。第２シートは、この額部と接着または溶着されている。第２シートには第１のミシン目と第２のミシン目とが設けられ、第１のミシン目の伸びる方向と第２のミシン目の伸びる方向とは互いに異なっている。第１のミシン目は、第１のミシン目に沿って第２シートを引き裂くことにより、収容部が開放されるように設けられ、第１のミシン目には、波型の切込が複数含まれ、これらの波型の切込は不連続に設けられている。第２のミシン目は、第２のミシン目に沿って第２シートを引き裂くことにより、第１のミシン目に沿って第２シートを引き裂くための第１つまみ部が形成されると共に、第１つまみ部が、第２のミシン目に沿って第２シートを引き裂くことにより現れる第２シートの縁から突出するように設けられている。
【発明の効果】
【００１０】
本発明に係るブリスターパッケージによれば、ユーザが容易に開放できるとともに誤って開放されることがない。
【図面の簡単な説明】
【００１１】
【図１】本発明の実施の形態１に係るブリスターパッケージの分解斜視図である。
【図２】同ブリスターパッケージの正面図である。
【図３】同ブリスターパッケージの背面図である。
【図４】図３の要部の拡大図である。
【図５】本発明の実施の形態１に係る他のブリスターパッケージの正面図である。
【図６】本発明の実施の形態２に係るブリスターパッケージの第２シートに形成されたミシン目を示す正面図である。
【図７】図６に示す第２シートを引き裂くときの様子を示す図である。
【図８】従来の包装材の分解斜視図である。
【図９】従来の包装材の背面図である。
【発明を実施するための形態】
【００１２】
本発明に係るブリスターパッケージは、第１シートと、第２シートとを有する。第１シートは、第２シートと反対側に突出してその裏側に凹部を形成した収容部と、この収容部の周囲に広がる額部とを有する。第２シートはこの額部と接着または溶着されている。第２シートには第１のミシン目と第２のミシン目とが設けられ、第１のミシン目の伸びる方向と第２のミシン目の伸びる方向とは互いに異なっている。第１のミシン目は、第１のミシン目に沿って第２シートを引き裂くことにより、収容部が開放されるように設けられ、第１のミシン目には、波型の切込が複数含まれ、波型の切込は不連続に設けられている。第２のミシン目は、第２のミシン目に沿って第２シートを引き裂くことにより、第１のミシン目に沿って第２シートを引き裂くための第１つまみ部が形成されると共に、第１つまみ部が、第２のミシン目に沿って第２シートを引き裂くことにより現れる第２シートの縁から突出するように設けられている。
【００１３】
上記ブリスターパッケージにおいて、ユーザは、まず第２シートの一部を指などでつまみ、第２のミシン目に沿って第２シートを引っ張って第２シートを裂くことで第１つまみ部を形成する。次に、ユーザは、第１つまみ部を指などでつまみ、第１のミシン目に沿って第２シートを引っ張って第２シートを裂く。このため、収容部の大きさ（開放面積）と第１つまみ部の大きさによっては、第１ミシン目を、第１つまみ部を引っ張る方向から逸れるように設ける必要がある。ここで、第１のミシン目には波型の切込が複数含まれ、波型の切込は不連続に設けられている。従って、第１のミシン目の伸びる方向と第１つまみ部を引っ張る方向とが一致しない場合でも、ユーザは、確実に第２シートを第１のミシン目に沿って引き裂くことができる。
【００１４】
このような２つの簡単な引っ張り動作により、第２シートが、第１及び第２ミシン目に沿って引き裂かれる。よって、ユーザは、容易に収容部を開放することができる。また、第２シートをミシン目に沿って引き裂く際に必要な力は、収容部に収容物が内包された状態で第２シートと反対側から収容部を押圧することによって裂く際に必要な力よりも小さい。したがって、運搬中などに容易に収容物がブリスターパッケージから出てしまうことを防止することができる。
【００１５】
上記ブリスターパッケージの好ましい具体的構成において、第２のミシン目には、Ｙ型の切込が複数含まれ、Ｙ型の切込は不連続に設けられている。切込から、次の切込までの間隔の部分を引き裂く際、場合によっては第２シートが切込から逸れて裂ける場合がある。しかしながら、切込をＹ型にして縦方向に並べることにより、すなわち１つのＹ型の下端が隣接するＹ型の上端のほぼ中央に対向するように並べることにより、Ｙ字の二股部分が、逸れた裂け目を受け止めることになる。よって、ユーザは、確実に第２シートを第２のミシン目に沿って引き裂くことができる。
【００１６】
上記ブリスターパッケージの好ましい他の具体的構成において、第２シートには第２のミシン目から独立した第３のミシン目がさらに設けられ、第２のミシン目と第３のミシン目とによって挟まれた部分は、帯部となって第２シートに形成されている。このように第３のミシン目を設けて第２シートに帯部を形成することにより、第２のミシン目に沿って第２シートをさらに引き裂きやすくなる。
【００１７】
より具体的な構成において、帯部の第１端部において第２のミシン目および第３のミシン目の少なくも一方の延長上にノッチが設けられ、帯部の第１端部が、第２のミシン目および第３のミシン目に沿って第２シートを引き裂くための第２つまみ部となっている。このように第２つまみ部を形成することにより、第２のミシン目に沿って第２シートをさらに引き裂きやすくなる。
【００１８】
帯部は、第１端部とは反対側の第２端部において第１シートに接着または溶着されていてもよい。第２端部が第１シートに固定されることにより、第２のミシン目に沿って第２シートを引き裂いても帯部が第１シートとともに残り、収容物を取り出した後も帯部を第１シートとともにまとめて廃棄することができる。
【００１９】
第３のミシン目には、Ｙ型の切込が複数含まれ、Ｙ型の切込が不連続に設けられていてもよい。切込から、次の切込までの間隔の部分を引き裂く際、場合によっては第２シートが切込から逸れて裂ける場合がある。しかしながら、切込をＹ型にして縦方向に並べることにより、すなわち１つのＹ型の下端が隣接するＹ型の上端のほぼ中央に対向するように並べることにより、Ｙ字の二股部分が、逸れた裂け目を受け止めることになる。よって、ユーザは、確実に第２シートを第２のミシン目に沿って引き裂くことができる。
【００２０】
上記ブリスターパッケージの好ましい他の具体的構成において、第２シートには、第１ミシン目から独立した第４のミシン目がさらに設けられ、第１のミシン目と第４のミシン目とによって挟まれた部分が収容部を覆っている。このように第４のミシン目を設けることにより、第１のミシン目に沿って第２シートをさらに引き裂きやすくなる。
【００２１】
より具体的な構成において、第４のミシン目には、波型の切込が複数含まれ、波型の切込が不連続に設けられている。収容部の大きさ（開放面積）と第１つまみの大きさによっては、第４のミシン目を、第１つまみ部を引っ張る方向から逸れるように設ける必要がある。このように第４のミシン目の伸びる方向と第１つまみ部を引っ張る方向とが一致しない場合でも、第４のミシン目によれば、ユーザは、確実に第２シートを第４のミシン目に沿って引き裂くことができる。
【００２２】
上記ブリスターパッケージにおいて、第２シートの第１のミシン目を設けた部分は、収容部に収容物が内包された状態で第２シートと反対側から収容部を押圧する押圧力に耐える強度を有していることが好ましく、４０Ｎ以下の押圧力に耐える強度を有していることが特に好ましい。第１のミシン目の強度をこのように設定することにより、特に幼児などが誤って収容部を押圧して収容物を取り出し、収容物を誤飲することを防止できる。
【００２３】
上記ブリスターパッケージにおいて、第１シートと第２シートとは生分解性材料で構成されていることが、地球環境保全の観点から好ましい。なぜなら、生分解性材料は、自然環境中で経時的に分解されるからである。生分解性材料の中でも脂肪族ポリエステルであるポリ乳酸系重合体は、成形加工性の点でも好ましい。
【００２４】
以下、本発明の実施の形態について、図面を参照しながら説明する。なお、本発明は、本明細書に記載された基本的な特徴に基づく限り、以下に記載の内容に限定されるものではない。
【００２５】
（実施の形態１）
図１は、本発明の実施の形態１によるブリスターパッケージの分解斜視図である。また、図２及び図３はそれぞれ、同ブリスターパッケージの正面図および背面図である。
【００２６】
このブリスターパッケージは、第１シート１と、第２シート２とを有する。第１シート１は、第２シート２と反対側に突出してその裏側に凹部を形成した、収容物１０を収容する収容部１１と、収容部１１の周囲に広がる額部１２とを有する。収容部１１を囲む長方形の二重線１３、つり下げ用の孔１６を囲むように配置された二重線１４、および端との間に所定の間隔を隔てて配置された二重線１５は、段差部を表している。段差部１５より外側、すなわち端側において、額部１２が形成され、この額部１２において第１シート１と第２シート２とが接着または溶着される。また、段差部１４から孔１６の縁までの部分においても、第１シート１と第２シート２とが接着または溶着される。段差部１５の内側で、段差部１３および１４の外側の部分は、前記の接着または溶着される部分より、若干（例えば１ｍｍ程度）高くなっており、第２シート２との間には隙間が形成される。ここで、収容物１０は例えば、ボタン型電池やコイン型電池、あるいは錠剤等の医薬品である。
【００２７】
図２および図３に示すように、第２シート２には破線２２で囲まれた第１のミシン目（以下、ミシン目２２という）と破線２３で囲まれた第２のミシン目（以下、ミシン目２３という）とが設けられている。ミシン目２２の伸びる方向とミシン目２３の伸びる方向とは互いに異なっている。図４において、矢印３６の示す方向がミシン目２２の伸びる方向であり、矢印３７の示す方向がミシン目２３の伸びる方向である。なお、矢印３６および３７の示す方向とミシン目２２および２３の伸びる方向とは、それぞれ厳密に平行であるわけではなく、略平行な方向を示している。
【００２８】
また、ミシン目２３と略平行にミシン目２３から独立した、破線２５で囲まれた第３のミシン目（以下、ミシン目２５という）がさらに設けられている。さらに、ミシン目２２と同様の構成で、かつミシン目２２から独立した、破線２９で囲まれた第４のミシン目（以下、ミシン目２９という）が設けられている。
【００２９】
ミシン目２２および２９は、ユーザがそれぞれミシン目２２および２９に沿って第２シート２を引き裂くことにより、収容部１１が開放されるように設けられている。すなわち、ミシン目２２とミシン目２９とによって挟まれた部分は収容部１１を覆っている。
【００３０】
ミシン目２３および２５に沿って第２シート２を引き裂くと、第１つまみ部２４が形成される。ユーザは第１つまみ部２４を指などでつまむことにより、ミシン目２２および２９に沿って第２シート２を引き裂くことができる。このように第１つまみ部２４を形成するように設けられているミシン目２３とミシン目２５とによって挟まれた部分は帯部２６を形成している。
【００３１】
このような構成において、ユーザは、まず第２シート２の一部を指などでつまみ、ミシン目２３および２５に沿って第２シート２を引っ張って第２シート２を引き裂く。このようして第１つまみ部２４が形成される。次に、ユーザは、第１つまみ部２４を指などでつまみ、ミシン目２２および２９に沿って第２シート２を引っ張って第２シート２を裂く。このような２つの簡単な引っ張り動作により、第２シート２は、ミシン目２２、２３、２５、および２９に沿って引き裂かれる。よって、ユーザは、収容部１１を容易に開放することができる。また、第２シート２をミシン目２２、２３、２５、および２９に沿って引き裂く際に必要な力は、収容部１１に収容物１０が内包された状態で、第２シート２と反対側から収容部１１を押圧することによって裂く際に必要な力よりも小さい。したがって、不用意に収容物１０がブリスターパッケージから出てしまうことを防止することができる。
【００３２】
次に、図４を参照してミシン目２２、２３、２５、および２９に関し詳細に説明する。図４は図３の拡大図である。ミシン目２２は、円弧状の切込３１、３２、および３３の複合である波型の切込３４を不連続に設けることで形成されている。ミシン目２９の構成は、ミシン目２２と同様であるのでここでは説明を省略する。
【００３３】
図４に示す構成では、ミシン目２２および２９の伸びる方向は第１つまみ部２４を引っ張る方向とは一致していない。ミシン目２２および２９によって挟まれた部分は収容部１１を覆っている。したがって、収容部１１の大きさ（開放面積）によってはこの部分の面積を大きくする必要がある。一方、第１つまみ部２４を大きく設定すると、ユーザがつまむ際にその中央部分だけをつまむことになり、ミシン目２２および２９に引っ張り力が伝わりにくくなる。そのため第１つまみ部２４は指の大きさを考慮して設計することが好ましい。
【００３４】
このように収容部１１の大きさと第１つまみ部２４の大きさによっては、ミシン目２２および２９を、第１つまみ部２４を引っ張る方向から逸れるように設ける必要がある。しかしながら、ミシン目２２および２９の伸びる方向と第１つまみ部２４を引っ張る方向とが一致していないと、例えば第２シート２の材質によってはうまくミシン目２２および２９が引き裂けず、裂け目がミシン目２２および２９から逸れてしまう。特に、第２シート２が繊維質を含み、その繊維質が方向性を有する場合にこのような現象が顕著になる。
【００３５】
図４の構成では、ミシン目２２および２９が不連続な波型の切込３４で形成されている。特に、引き裂く動作の最後に到達する切込３１がミシン目２２および２９の挟む部分の中心方向に向いている。そのため、切込３４同士の間で裂け目が外向きになるのを矯正して確実にミシン目２２および２９が引き裂けるようになる。
【００３６】
このようにミシン目２２および２９の伸びる方向と第１つまみ部２４を引っ張る方向とが一致しない場合でも、上述の形状の切込３４でミシン目２２および２９を形成することが好ましい。これにより、ユーザは確実に第２シート２をミシン目２２および２９に沿って引き裂くことができる。
【００３７】
次に、ミシン目２３および２５について説明する。図４に示すように、ミシン目２３および２５は、不連続なＹ型の切込３０を含んで形成されている。切込３０から、次の切込３０までの間隔の部分を引き裂く際、場合によっては第２シート２が切込３０から逸れて裂ける場合がある。第２シート２をミシン目２２および２９に沿って引き裂く場合に比べれば、この場合は帯部２６が略長方形状であり、ミシン目２３および２５の伸びる方向と帯部２６を引っ張る方向とがほぼ一致するため、この傾向は小さい。
【００３８】
しかしながら、上述のように第２シート２が繊維質を含み、その繊維質が方向性を有する場合には、第２シート２が切込３０から逸れて裂ける状況が懸念される。しかし、切込３０をＹ型にして縦方向に並べることにより、すなわち１つのＹ型の下端が隣接するＹ型の上端のほぼ中央に対向するように並べることにより、Ｙ字の二股部分が、逸れた裂け目を受け止めることになる。よって、ユーザは、確実に第２シート２をミシン目２３および２５に沿って引き裂くことができる。
【００３９】
なお、帯部２６の第１端部２７において、ミシン目２３および２５の少なくも一方の延長上にノッチ３５Ａまたは３５Ｂを設けることが好ましい。このようにノッチ３５Ａおよび３５Ｂの少なくとも一方を設けることにより、帯部２６の第１端部２７はミシン目２３および２５に沿って第２シート２を引き裂くための第２つまみ部となる。このように第２つまみ部を形成することによりミシン目２３および２５に沿って第２シート２をさらに引き裂きやすくなる。
【００４０】
また、帯部２６は、第２端部２８において第１シート１に接着または溶着されていることが好ましい。第２端部２８が第１シート１に固定されていることによって、ミシン目２３および２５に沿って第２シート２を引き裂いても帯部２６が第１シート１とともに残る。そのため収容物１０を取り出した後も帯部２６を第１シート１とともにまとめて廃棄することができる。
なお、第１端部２７は、第１シート１の側面と略一致させているが、必ずしもそのようにする必要はない。第１端部２７を、第１シート１の側面より内側に位置させてもよい。その場合は、ノッチ３５Ａおよび／または３５Ｂと連続した切込に形成する。
【００４１】
ミシン目２３および２５は上述のようにＹ型の切込３０で形成されている。そのため、ミシン目２３および２５に沿った第２シート２の破断部分はのこぎり状になる。しかしながら、ミシン目２３および２９の引き裂き方向は、それぞれ直線状で単一方向であるため、Ｙ型の切込３０を小さく、細かく設定しても、第２シート２をミシン目２３および２５に沿って確実に引き裂くことができる。そのため、ミシン目２３および２５に沿った第２シート２の破断部分には大きなバリは生じない。
【００４２】
一方、ミシン目２２および２９の伸びる方向は第１つまみ部２４を引っ張る方向から斜めに設定されている。そのため、ミシン目２２および２９をミシン目２３および２５と同じようにＹ型の切込３０で形成する場合、確実に第２シート２が引き裂けるようにするためにはＹ型の切込３０を大きくする必要がある。このようにＹ型の切込３０が大きいと、ミシン目２２および２９に沿った第２シート２の破断部分のバリが大きくなる。このような状態になると、ユーザは、そのバリに触れて指などに怪我をする恐れがある。
【００４３】
本実施の形態では、ミシン目２２および２９を波型の切込３４で形成することで、ミシン目２２および２９に沿った第２シート２の破断部分が丸みを帯びた状態になる。そのため、ユーザが怪我をすることを防ぐことができる。そのため、上述のような問題はない。
【００４４】
なお、ミシン目２５やミシン目２９は必須ではなく、設けなくてもよい。この場合、図３に示すブリスターパッケージの下端や左側で額部１２と第２シート２との接着（または溶着）度合いを弱くしておけば、これらをミシン目２５やミシン目２９の代わりとすることができる。しかしながら、ミシン目２５やミシン目２９を設けることは、それぞれの動作においてミシン目２２および２３に沿って第２シート２をさらに引き裂きやすくなるため好ましい。
【００４５】
なお、図５に示すように、第１シート１に収容部１１Ａおよび１１Ｂを設け、それぞれに対応するように第２シート２にミシン目２２Ａ、２３Ａ、および２９Ａの組と、ミシン目２２Ｂ、２３Ｂ、および２９Ｂの組を設けてもよい。この構成ではミシン目２３Ａおよび２３Ｂに沿って第２シート２を引き裂くことで同時に第１つまみ部２４Ａおよび２４Ｂを形成することができる。そのため、ユーザは３回の引き裂き動作により２つの収容物を取り出すことができる。
【００４６】
（実施の形態２）
次に、第２シート２に形成する異なるミシン目の形状について説明する。図６は、本発明の実施の形態２に係るブリスターパッケージの第２シート２に形成されたミシン目を示す正面図である。また、図７は、図６に示す第２シート２を引き裂くときの様子を示す図である。第２シート２が方向性のある繊維質を含まない場合、図６に示すように直線的な切込で構成された第１、第２、第３、および第４のミシン目４２、４３、４５、および４９を設けてもよい。特に収容部１１がミシン目４２および４９ではさまれる部分の面積が小さいときは、第１つまみ部４４を引っ張る方向をミシン目４２および４９の伸びる方向と一致させても問題ない。このようにミシン目の形状は第２シート２の材質や収容部１１の大きさなどに応じて任意に変更することができる。
【００４７】
なお、第１シート１と第２シート２の材料は特に限定されないが、地球環境保全の点から生分解性材料で構成されていることが好ましい。生分解性材料は、自然環境中で経時的に分解される。このような材料として脂肪酸ポリエステル、編成ポリビニルアルコール、セルロースエステル化合物、でんぷん変性体などが挙げられる。なかでも脂肪族ポリエステルであるポリ乳酸系重合体は、成形加工性の点で好ましい。また、分解時に生成するアルコールやカルボン酸は生体への影響が小さいため好ましい。
【００４８】
しかしながら、ポリ乳酸系重合体を用いて第２シート２を作製すると、方向性を有する繊維質になるのが一般的である。そのため、図４に示すミシン目２２、２３、２５、および２９を設けることが好ましい。
【００４９】
なお、第２シート２のミシン目２２を設けた部分は、収容部１１に収容物１０が内包された状態で収容部１１を第２シート２と反対側から押圧する押圧力に耐える強度を有することが好ましい。このようにするためには、ミシン目の切込の長さや間隔を調整することで実現できる。ミシン目２２の強度を上述のように設定することにより、特に幼児などが誤って収容部１１を押圧して収容物１０を取り出し、収容物１０を誤飲することを防止できる。
【００５０】
以上のような条件を満たす第２シート２と、ミシン目２２、２３、２５、および２９の一例を示す。第２シート２は厚さ１００μｍ、第１シート１は厚さ１７０μｍのポリ乳酸系重合体でそれぞれ構成する。また、それぞれのおおよその外形寸法は、４０ｍｍ×９０ｍｍである。ミシン目２２および２９は、切込３１および３３の円弧の曲率半径を１ｍｍ、切込３２の円弧の曲率半径を１．２５ｍｍとする。そして切込３４同士の間隔を１．５ｍｍ前後に設定する。また、第１つまみ部２４の幅を１３ｍｍとし、第１つまみ部２４から離れた側でのミシン目２２と２９の間隔を２５ｍｍ前後にする一方、ミシン目２３および２５の切込３０のＹ字の二股部分のなす角を６０°、それぞれの直線部分の長さを０．７ｍｍとし、切込３０同士の間隔を０．５ｍｍとする。
また、収容部１１の高さを４．２ｍｍ、直径を２３．４ｍｍとする。額部１２と第１シート１とは、１２０〜１４０℃で約４秒間、加熱しながら押圧することにより熱溶着する。
【００５１】
このように構成したブリスターパッケージの収容部１１に直径２０ｍｍ、厚さ３．２ｍｍのコイン型電池を収容した状態で、第２シート２は、収容部１１を押圧する力を約４０Ｎに上げるまで裂けずに耐える。この圧力は人が指で収容部１１を押圧する力を超えている。しかも、ユーザは、ミシン目２３、２５、ミシン目２２、２９の順に第２シート２を指で容易に、かつ確実に引き裂いてコイン型電池を取り出すことができる。
【００５２】
また、上述と同様のミシン目を形成した第２シート２に、収容部１１の高さが８．３ｍｍ、直径が３２．４ｍｍの第１シート１を組み合わせてもよい。この場合も、収容部１１に直径２３ｍｍ、厚さ５．４ｍｍのコイン型電池を収容した状態で、第２シート２は、収容部１１を押圧する力を約４０Ｎに上げるまで裂けずに耐える。
【産業上の利用可能性】
【００５３】
本発明によるブリスターパッケージは、運搬中などに容易に収容物が出てしまうことを防止することができるとともに、ユーザが指で容易に、かつ確実に引き裂いて収容物を取り出すことができる。このブリスターパッケージはボタン型電池やコイン型電池、あるいは錠剤等の医薬品などを包装するブリスターパッケージとして有用である。
【符号の説明】
【００５４】
１  第１シート
２  第２シート
１０  収容物
１１、１１Ａ、１１Ｂ  収容部
１２  額部
２２、２２Ａ、２２Ｂ、４２  ミシン目（第１のミシン目）
２３、２３Ａ、２３Ｂ、４３  ミシン目（第２のミシン目）
２４、２４Ａ、２４Ｂ、４４  第１つまみ部
２５、４５  ミシン目（第３のミシン目）
２６  帯部
２７  第１端部
２８  第２端部
２９、２９Ａ、２９Ｂ、４９  ミシン目（第４のミシン目）
３０、３１、３２、３３、３４  切込
３５Ａ、３５Ｂ  ノッチ
３６，３７  矢印
【図１】
0005514343.tif 000002
【図２】
0005514343.tif 000003
【図３】
0005514343.tif 000004
【図４】
0005514343.tif 000005
【図５】
0005514343.tif 000006
【図６】
0005514343.tif 000007
【図７】
0005514343.tif 000008
【図８】
0005514343.tif 000009
【図９】
0005514343.tif 000010